(57)【要約】【課題】作業性を向上させ、しかも自然薯の成長を促進可能とする自然薯栽培器を提供する。【解決手段】容器１０に、第２土壌３２に比べて養分を多く含む第１土壌１２を蓄積し、自然薯５の種芋６及び吸収根７を埋設する。容器１０に設けられた開口部２０に鉛直方向に対して所定の角度で育成部３０を取り付ける。容器１０の内側において、育成部３０の端部に上を開口面にした誘導部４０を取り付ける。誘導部４０及び育成部３０に第２土壌３２を蓄積し、自然薯５の新生芋８を埋設するようにした自然薯栽培器１。【選択図】図１
2017209106.tif 000002
【特許請求の範囲】
【請求項１】
自然薯の種芋及び吸収根を育成するための第１土壌を蓄積するための容器と、
前記容器に設けられた開口部と、
前記開口部に、鉛直方向に対して所定の角度で取り付けられ、内部に自然薯の新生芋を育成するための第２土壌を蓄積するための育成部と、
を備えたことを特徴とする自然薯栽培器。
【請求項２】
請求項１に記載の自然薯栽培器において、
前記容器の内側において、前記育成部に装着され、前記育成部に装着されている部分から離れるにつれて広がった開口面を有する誘導部を備えていることを特徴とする自然薯栽培器。
【請求項３】
請求項１又は請求項２に記載の自然薯栽培器において、
前記開口部は、前記容器の底面に設けられることを特徴とする自然薯栽培器。
【請求項４】
請求項１又は請求項２に記載の自然薯栽培器において、
前記開口部は、前記容器の側面に設けられることを特徴とする自然薯栽培器。
【請求項５】
請求項１〜請求項４のいずれか１項に記載の自然薯栽培器において、
前記第１土壌は、前記第２土壌に比べ、養分が多く含まれていることを特徴とする自然薯栽培器。
【請求項６】
請求項１〜請求項５のいずれか１項に記載の、複数の自然薯栽培器と、前記複数の自然薯栽培器を、前記育成部が交互に交差するように並べて固定するための固定部を備えたことを特徴とする自然薯栽培システム。
【請求項７】
請求項６に記載の自然薯栽培システムにおいて、
前記固定部は、前記複数の自然薯栽培器を、前記育成部が交互に交差するように並べたときに、前記複数の自然薯栽培器の前記容器が交互に、水平面に対して所定の角度となるように固定し、
前記容器は、前記固定部で固定されたときに、水平面からの高さが低くなる方の底面角部に排水用の穴が穿たれている
ことを特徴とする自然薯栽培システム。
【発明の詳細な説明】
【技術分野】
【０００１】
本発明は、自然薯の栽培に要する労力を軽減することができる自然薯の栽培装置に関する。
【背景技術】
【０００２】
従来、用土に下端が埋設されたパイプを垂直方向に保持して１列又は複数列に配設し、パイプ内の上端部まで用土を充填し、用土に自然薯の種芋を植え付けて適宜施肥と注水を行いながら育成させ、成長した蔓をパイプ間あるいはパイプの近傍に立設された支柱又は支柱に張架された誘導ネットに這わせ、収穫時にはパイプを用土から抜き取りパイプの一端を水流圧による押圧して用土と生育した自然薯をパイプから取り出すようにした自然薯栽培器がある（例えば、特許文献１参照）。
【先行技術文献】
【特許文献】
【０００３】
【特許文献１】特開２０１４−０７６０３９号公報
【発明の概要】
【発明が解決しようとする課題】
【０００４】
ところが、上記従来の自然薯栽培器は、パイプを垂直方向に保持して１列又は複数列配置している。したがって、装置の高さが高くなり、取扱いがし難くなるため作業性が悪いという問題がある。また、自然薯は、自然の状態では、蔓や親芋に対し土中で斜めに成長するという特性もあるのに対し、上記自然薯栽培器では、自然薯を垂直方法に成長させるようになっている。したがって、自然薯の成長にも悪影響を与えるという問題もある。
【０００５】
本発明は、こうした問題に鑑みなされたもので、作業性を向上させ、しかも自然薯の成長を促進可能とする自然薯栽培器及び自然薯栽培システムを提供することを目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
［適用例１］
自然薯栽培器（１，１００，２００）において、
自然薯（５）の種芋（６）及び吸収根（７）を育成するための第１土壌（１２）を蓄積するための容器（１０，１１０，２１０）と、
前記容器（１０，１１０，２１０）に設けられた開口部（２０，１２０，２２０）と、
前記開口部（２０，１２０，２２０）に、鉛直方向に対して所定の角度で取り付けられ、内部に自然薯（５）の新生芋（８）を育成するための第２土壌（３２）を蓄積するための育成部（３０，２３０）と、
を備えたことを要旨とする。
【０００８】
このような自然薯栽培器（１，１００，２００）では、種芋（６）及び吸収根（７）が容器（１０，１１０，２１０）で育成され、新生芋（８）が育成部（３０，２３０）で栽培される。つまり、自然薯（５）の栽培の際に成長して長く伸張していく新生芋（８）が育成部（３０，２３０）で育成されるため、長くて形状のよい新生芋（８）を栽培することができる。
【０００９】
［適用例２］
また、適用例１に記載の自然薯栽培器（１，１００）において、前記容器（１０，１１０）の内側において、前記育成部（３０）に装着され、前記育成部（３０）に装着されている部分から離れるにつれて広がった開口面を有する誘導部（４０）を備えていることを要旨とする。
【００１０】
このようにすると、自然薯（５）栽培時に、余り成長しない種芋（６）に比べ、成長して長く伸張していく新生芋（８）が誘導部（４０）の開口面から育成部（３０）に進入しやすくなるので、長く形状のよい新生芋（８）を容易に栽培することができる。
【００１１】
［適用例３］
また、適用例１又は適用例２に記載の自然薯栽培器（１，２００）において、前記開口部（２０，２２０）は、前記容器（１０，２１０）の底面に設けられることを要旨とする。
【００１２】
このような自然薯栽培器（１，２００）であれば、開口部が底面に設けられていない場合に比べて、育成部（３０，２３０）または誘導部（４０）を底面に近い位置に設けることができる。つまり、吸収根（７）が伸びるスペースを大きく確保することができ、長くて形状のよい新生芋（８）を栽培することができる。
【００１３】
［適用例４］
また、適用例１又は適用例２に記載の自然薯栽培器（１００）において、前記開口部（１２０）は、前記容器（１１０）の側面に設けられることを要旨とする。
【００１４】
このような自然薯栽培器（１００）であれば、開口部が底面に設けられている場合に比べ、容器（１１０）を低い位置に設置することができる。例えば、天井が低くいために、開口部が底面にある自然薯栽培器を設置することが難しいスペースであっても、開口部（１２０）が側面にある自然薯栽培器（１００）であれば、容器（１１０）を低い位置に設置することができるので、設置することができる。
【００１５】
［適用例５］
適用例１〜適用例４のいずれか１例に記載の自然薯栽培器（１，１００，２００）において、前記第１土壌（１２）は、前記第２土壌（３２）に比べ、養分が多く含まれていることを要旨とする。
【００１６】
このような自然薯栽培器（１）では、新生芋（８）をより成長させることができる。つまり、芋の成長にかかわるのは、吸収根（７）であり、吸収根（７）が養分を吸収し新生芋（８）の成長を促すためである。また、新生芋（８）が、養分が多く含まれている土壌で栽培されると、新生芋（８）が分岐したり腐ったりする。
【００１７】
そこで、第２土壌（３２）に比べ第１土壌（１２）の養分が多く含まれるようにすると、吸収根（７）で養分を吸収して新生芋（８）の成長を促し、新生芋（８）が分岐したり腐ったりすることを防ぐことができるため、新生芋（８）をより成長させることができる。
【００１８】
［適用例６］
適用例１〜適用例５のいずれか１例に記載の複数の自然薯栽培器（１）と、前記複数の自然薯栽培器（１）を、前記育成部（３０）が交互に交差するように並べて固定するための固定部（５０）を備えたことを要旨する自然薯栽培システム（２）である。
【００１９】
このような自然薯栽培システム（２）では、育成部（３０）が交互に交差するように複数の自然薯栽培器（１）が並べられている。したがって、複数の自然薯栽培器（１）を並べたときに、自然薯栽培器（１）の設置面積が少なくて済むので、多数の自然薯栽培器（１）を面積効率よく配置でき、ひいては少ない面積で多くの自然薯を栽培することができる。
【００２０】
［適用例７］
適用例６に記載の自然薯栽培システム（２）において、前記固定部（５０）は、前記複数の自然薯栽培器（１）を、前記育成部（３０）が交互に交差するように並べたときに、前記複数の自然薯栽培器（１）の前記容器（１０）が交互に、水平面に対して所定の角度となるように固定し、前記容器（１０）は、前記固定部（５０）で固定されたときに、水平面からの高さが低くなる方の底面角部に排水用の穴が穿たれていることを要旨とする。
【００２１】
このような自然薯栽培システム（２）では、並べられている複数の自然薯栽培器１の容器（１０）が水平面に対し傾いており、低い方の底面角部に排水用の穴がうがたれている。したがって、容器（１０）内の排水がスムーズに行われ、余分な水分が容器（１０）内に溜まることがないため、新生芋８の成長をより促すことができる。
【図面の簡単な説明】
【００２２】
【図１】自然薯栽培器１の概略の構成を示す断面図である。
【図２】自然薯栽培器１による自然薯の栽培方法を説明するための図である。
【図３】自生栽培の場合の自然薯の育ち方を説明するための図である。
【図４】自然薯栽培システム２の概略の構成を示す外観図である。
【図５】自然薯栽培器１００の概略の構成を示す断面図と、自然薯栽培器１００の配置の一例を示す図である。
【図６】自然薯栽培器２００の概略の構成を示す断面図である。
【図７】自然薯栽培システム２０２の概略の構成を示す外観図である。
【図８】自然薯栽培器３００の概略の構成を示す断面図である。
【発明を実施するための形態】
【００２３】
以下、本発明が適用された実施形態について図面を用いて説明する。なお、本発明の実施の形態は、下記の実施形態に何ら限定されることはなく、本発明の技術的範囲に属する限り種々の形態を採りうる。
【００２４】
［第１実施形態］
（自然薯栽培器１の構成）
図１に基づき、自然薯栽培器１の構成について説明する。図１は、自然薯栽培器１の概略の構成を示す断面図である。
【００２５】
図１に示すように、自然薯栽培器１は、容器１０、開口部２０、育成部３０及び誘導部４０を備えている。
容器１０は、自然薯５の栽培の種芋６及び吸収根７を育成するための第１土壌１２を蓄積するものであり、プラスチック、塩化ビニール、発泡スチロールなどの樹脂、ステンレスなどの金属、あるいは紙などの自然素材で形成された、略直方体の箱状の容器である。
【００２６】
本実施形態では、容器１０の大きさは、平面の縦横の寸法が約７００［ｍｍ］×約５００［ｍｍ］、深さが約３００「ｍｍ］である。
容器１０に蓄積される第１土壌１２は、鹿沼土に肥料を混ぜたものなどの他に、いわゆる土ではないが、食物等の栽培に用いられる腐葉土など自然薯５の栽培のための養分が多く含まれている栽培用の用土を含む。
【００２７】
開口部２０は、容器１０の底面に穿たれた穴であり、本実施形態では、容器１０の略長方形の底面の短手方向の中央、長手方向の約４／５の位置に設けられている直径約５０［ｍｍ］の穴である。
【００２８】
育成部３０は、開口部２０の底面外側に、鉛直方向に対して所定の角度で取り付けられ、内部に自然薯５の栽培の新生芋８を育成するための第２土壌３２を蓄積する部分である。具体的には、プラスチック、塩化ビニール、発泡スチロールなどの樹脂製の材料を筒状にした部材の内部に第２土壌３２を入れて満たしたものである。
【００２９】
ここで所定の角度とは、図３に示すように、自生地栽培をした場合に自然薯５の新生芋８が伸張しやすい角度を基本とし、容器１０を設置する場合の設置しやすさ等を考慮して決定される角度である。なお、所定の角度において、少なくとも鉛直方向に対してゼロ度となる角度は除くものとする。
【００３０】
また、第２土壌３２は、鹿沼土など第１土壌１２に比べ、含まれている養分が少ないものとする。
誘導部４０は、育成部３０に装着され、育成部３０に装着されている部分から離れるにつれて広がった開口面を有するものであり、いわゆる漏斗状の形状となっている。
【００３１】
誘導部４０の材質は、プラスチック、塩化ビニール、発泡スチロールなどの樹脂、アルミなどの金属あるいは段ボールなど紙である。
（自然薯栽培器１による栽培方法）
次に、図２に基づき、自然薯栽培器１を用いた自然薯５の栽培方法について説明する。図２は、自然薯栽培器１による自然薯の栽培方法を説明するための図である。
【００３２】
図２に示すように、育成部３０の内部及び誘導部４０の内部に、鹿沼土などの第２土壌を充填した後、容器１０の内部に腐葉土などの第１土壌１２を充填する。
容器１０の内部に第１土壌１２を充填する際に、自然薯５の芽の部分が誘導部４０の開口面の略中心になるようにし、さらに、種芋６が誘導部４０の開口面の外縁よりも外側の位置に、横たえるように第１土壌１２に埋め込むようにして、第１土壌１２を容器１０の内部に満たしていく。
【００３３】
また、種芋６を第１土壌１２に埋め込む際に、複数の吸収根７を容器１０の中に広げるようにして、第１土壌１２に埋め込む。
これにより、容器１０の養分の多い第１土壌１２に種芋６が埋設されるとともに、種芋６の周囲に吸収根７が埋設されるため、第１土壌１２から養分が吸収され、吸収された養分が新生芋８に供給される。
【００３４】
また、新生芋８は、誘導部４０を介して確実に育成部３０の内部に成長していくことができる。この際、養分の少ない第２土壌３２中で成長するため、新生芋８が分岐したり腐ったりしてしまうことがない。
【００３５】
（自生栽培した場合の自然薯５の育ち方）
ここで、図３に基づき、自生地栽培をした場合の自然薯５の育ち方について説明する。図３は、自生栽培の場合の自然薯５の育ち方を説明するための図である。
【００３６】
図３に示すように、自然薯５は、空気中の蔓や葉の分と土壌中の根の部分とで栽培される。
土壌中には、芽９があり、芽９から種芋６、吸収根７及び新生芋８が伸びている。このうち種芋６及び新生芋８は、茎の一部であって、養分を吸収しない。むしろ、養分があると、芋が分岐したり腐ったりする場合がある。
【００３７】
これに対し、吸収根７は、芽９から８〜１０本出て養分を吸収し、主に新生芋８に養分を供給し、新生芋８の成長を促す。また、吸収根７は、いわゆる浅根性を有しており、地表近くを広がるように伸びる。
【００３８】
したがって、図３に示すように、種芋６及び吸収根７を養分の多い土壌の浅い部分に埋設し、新生芋８が養分の少ない土壌中に成長するようにして、新生芋８を育成する。
（自然薯栽培器１の特徴）
以上のような自然薯栽培器１では、種芋６及び吸収根７が容器１０で育成され、新生芋８が育成部３０で栽培される。つまり、自然薯５の栽培の際に成長して長く伸張していく新生芋８が育成部３０で育成されるため、長くて形状のよい新生芋８を栽培することができる。
【００３９】
また、容器１０の内側において、育成部３０に装着され、育成部３０に装着されている部分から離れるにつれて広がった開口面を有する誘導部４０を備えている。したがって、自然薯５栽培時に、余り成長しない種芋６に比べ、成長して長く伸張していく新生芋８が誘導部４０の開口面から育成部３０に進入しやすくなるので、長く形状のよい新生芋８を容易に栽培することができる。
【００４０】
また、容器１０における開口部２０は、容器１０の底面に設けられる。したがって、開口部が底面に設けられていない場合に比べて、育成部３０および誘導部４０を底面に近い位置に設けることができる。つまり、吸収根７が伸びるスペースを大きく確保することができ、長くて形状のよい新生芋８を栽培することができる。
【００４１】
さらに、第１土壌１２は、第２土壌３２に比べ、養分が多く含まれているため、新生芋８をより成長させることができる。つまり、芋の成長にかかわるのは、吸収根７であり、吸収根７が養分を吸収し新生芋８の成長を促すためである。
【００４２】
また、新生芋８が、養分が多く含まれている土壌で栽培されると、新生芋８が分岐したり腐ったりするが、自然薯栽培器１では、第２土壌３２に比べ第１土壌１２の養分が多く含まれるようなっている。したがって、吸収根７で養分を吸収して新生芋８の成長を促し、新生芋８が分岐したり腐ったりすることを防ぐことができるため、新生芋８をより成長させることができる。
【００４３】
［第２実施形態］
図４に基づき、自然薯栽培システム２について説明する。図４は、自然薯栽培システム２の概略の構成を示す外観図であり、図４（ａ）は正面図、図４（ｂ）は平面図、図４（ｃ）は側面図である。
（固定部５０の構成）
図４に示すように、固定部５０は、基部５２、座部５４及び支柱５６を備えている。
【００４４】
基部５２は、固定部５０の土台となる部分であり、スチールなどの金属の板材を平面形状が長方形になるように組み合わせて、溶接やボルトなどで接合した部材である。また、基部５２の４隅には、自然薯栽培システム２を移動できるようにするための車輪５２ａが取り付けられている。
【００４５】
座部５４は、自然薯栽培器を外側に傾けた状態で載置するための部材であり、スチールなどの金属の板材を平面形状が長方形で、容器１０の底面が載置できる大きさになるように組み合わせて、溶接やボルトなどで接合した部材である。
【００４６】
支柱５６は、基部５２と座部５４とを結合するための、スチールなどの金属の板材であり、基部５２の長手方向の板材と座部５４の短手方向の板材とを溶接やボルトで接合して、座部５４を基部５２に対して支えている。また、支柱５６は、座部５４を、外側が低い所定の角度となるように固定してある。
【００４７】
（固定部５０の使用方法）
以上のような構成の固定部５０に、複数（本実施形態では６個（１列に３個を２列））の自然薯栽培器１を育成部３０が交互に交差するように並べて座部５４に載置して固定する。
【００４８】
また、自然薯栽培システム２では、自然薯栽培器１の容器１０の外側底面に排水用の穴が穿たれている。
（自然薯栽培システム２の特徴）
このような自然薯栽培システム２では、育成部３０が交互に交差するように複数の自然薯栽培器１が並べられている。したがって、複数の自然薯栽培器１を並べたときに、設置面積が少なくて済むため、多数の自然薯栽培器１を面積効率よく配置でき、ひいては少ない面積で多くの自然薯を栽培することができる。
【００４９】
また、自然薯栽培器１の排水用の穴が穿たれた方の底面が低くなるように容器１０が傾いているため容器１０内に余分な水分が蓄積されず自然薯５が腐ることがない。
さらに、自然薯栽培システム２が車輪５２ａによって容易に移動できるようになっている。したがって、屋外栽培からハウス栽培への転換が容易にでき、防虫、妨害、温度管理（気温、土壌温度など）を行いやすくなり、いわゆる無農薬栽培が可能となる。
【００５０】
［第３実施形態］
図５に基づき、自然薯栽培器１００について説明する。図５（ａ）は自然薯栽培器１００の概略の構成を示す断面図であり、図５（ｂ）は自然薯栽培器１００の配置の一例を示す外観図である。
【００５１】
なお、第３実施形態では、容器１１０の構造を除けば、第１実施形態の自然薯栽培器１と同じであるため、同じ部材については、同じ符号を付して説明を省略する。また、容器１１０は、第１実施形態の容器１０と同じ素材で形成されている。
【００５２】
図５（ａ）に示すように、自然薯栽培器１００における容器１１０の開口部１２０は、側面に穿たれた穴であり、本実施形態では、容器１１０の短側面上であって、短側面と底面との境界近傍に設けられている直径約５０［ｍｍ］の穴である。また、筒状の育成部３０は、約１／２の部分が開口部１２０から突き出るように、鉛直方向に対して所定の角度で取り付けられる。
【００５３】
このような自然薯栽培器１００であれば、開口部２０が容器１０の底面に設けられている第１実施形態の自然薯栽培器１に比べ、容器１１０を低い位置に設置することができる。例えば、天井が低くいために、開口部が底面に形成された自然薯栽培器を設置することが難しいスペースであっても、開口部１２０が側面に形成された自然薯栽培器１００であれば、容器１１０を低い位置に設置することができるので、設置することができる。
【００５４】
また、本実施形態の自然薯栽培器１００の配置の一例としては、図５（ｂ）に示すように、８台の自然薯栽培器１００を円周上に配置するものがある。この配置例においては、自然薯栽培器１００の育成部３０を円周の中心方向に向けて、８台の自然薯栽培器１００が放射状に配置されている。
【００５５】
このように自然薯栽培器１００を円周上に配置すれば、各自然薯栽培器１００の間に所定の間隔を取って一列に配置した場合に比べて、隣り合う自然薯栽培器１００の間に所定のスペースを確保したうえで、複数の自然薯栽培器１００を面積効率よく配置できる。つまり、自然薯栽培の作業者が、隣り合う自然薯栽培器１００の間での作業を可能としたうえで、少ない面積で多くの自然薯を栽培することができる。
【００５６】
［第４実施形態］
図６に基づき、自然薯栽培器２００の構成について説明する。図６は、自然薯栽培器２００の概略の構成を示す断面図である。
【００５７】
図６に示すように、自然薯栽培器２００における容器２１０は、上下に開口面が形成された箱状の部材であり、下側の開口面が開口部２２０を構成する。育成部２３０は、一面に開口面が形成された箱状の部材であり、この開口面の大きさは、容器２１０の開口部２２０と略同じ大きさである。
【００５８】
育成部２３０は、容器２１０の開口部２２０から延伸するように、開口部２２０に鉛直方向に対して所定の角度で取り付けられる。なお、容器２１０は、第１実施形態の容器１０と同じ素材で形成されており、育成部２３０は、第１実施形態の育成部３０と同じ素材で形成されている。
【００５９】
このような自然薯栽培器２００であれば、第１実施形態とは異なり、容器２１０の開口部２２０の短手方向の長さに応じて、複数の自然薯５を並べて栽培することができる。
【００６０】
次に、図７に基づき、自然薯栽培システム２０２の構成について説明する。図７は、自然薯栽培システム２０２の概略の構成を示す外観の側面図である。
【００６１】
図７に示すように、自然薯栽培システム２０２は、複数の自然薯栽培器２００と、自然薯栽培器２００を固定する固定部２５０とから構成される。固定部２５０は、上述の第２実施形態の固定部５０（図４を参照）と略同様の素材および組み合わせであって、基部２５２、座部２５４、支柱２５６及び車輪２５２ａを備えている。
【００６２】
固定部２５０に２個の自然薯栽培器２００を座部２５４に載置して固定すると、２個の自然薯栽培器２００が鉛直方向に上下二段となるように固定される。また、下側の自然薯栽培器２００の育成部２３０の上方に上側の自然薯栽培器２００の容器２１０が配置するように固定される。
【００６３】
このような自然薯栽培システム２０２であれば、２個の自然薯栽培器２００が上下二段となるように固定される。したがって、複数の固定部２５０を利用すれば、多数の自然薯栽培器２００を面積効率よく配置でき、ひいては少ない面積で多くの自然薯を栽培することができる。
【００６４】
［その他の実施形態］
（１）上記実施形態において、容器１０、１１０をプラスチック、塩化ビニール、発泡スチロールなどを略直方体の箱状としていたが、塩化ビニールの袋（排水用の穴を穿ったものでもよい）や目の細かい網状の袋、あるいは、発泡スチロールに土壌などを蓄積して容器としてもよい。
【００６５】
（２）上記実施形態において、誘導部４０は漏斗形状であるとしたが、側面が湾曲しているお椀形状になっていてもよい。
（３）上記実施形態では、育成部３０を筒状の部材であるとしたが、育成部３０の一部に開口となる切欠きが形成され第２土壌３２が露出した構造の筒状のものであってもよい。また、育成部２３０を一面に開口面が形成された箱状の部材であるとしたが、断面形状が凹状で第２土壌３２が露出した構造の箱状のものであってもよい。
【００６６】
（４）上記実施形態では、育成部３０、２３０は、プラスチックなどの樹脂製の材料で形成されているとしたが、袋や袋に穴を穿って水捌けを良くしたものあるいは網状の袋に第２土壌３２を充填したものを、所定の角度となるように板状のもので支えるようにしてもよい。
（５）上記第２実施形態では、自然薯栽培器１を６個（１列に３個を２列）並べていたが、並べる自然薯栽培器１の数は、これに限定されるものではない。
【００６７】
（６）上記第１実施形態では、開口部２０は、容器１０の略長方形の底面の短手方向の中央、長手方向の約４／５の位置に設けられているが、他の位置であってもよい。例えば、長手方向の位置を中央近辺とし、自然薯５の芽９の位置を開口部２０の上又は。開口部２０に対し、育成部３０の傾斜している向きと同じ側にずらしてもよい。
（７）上記第２実施形態では、固定部５０に育成部３０が交互に交差するように並べていたが、育成部３０を交互に交差させないように並べてもよい。
【００６８】
（８）上記第１実施形態および第３実施形態では、１つの容器１０、１１０に１個の開口部２０、１２０を設けていたが、１つの容器１０、１１０に複数の開口部２０、１２０を設け、複数の開口部２０、１２０のそれぞれに育成部３０や誘導部４０を取り付けるようにしてもよい。
（９）上記第１実施形態では、誘導部４０は、育成部３０に装着されているとしたが、容器１０の内側における開口部２０に装着されていてもよい。そして、容器１０の外側における開口部２０には、育成部３０が装着されていてもよい。
【００６９】
（１０）上記第４実施形態の自然薯栽培器２００では、３本の自然薯５を並べて栽培していたが、栽培する自然薯５の数は、これに限定されるものではなく、開口部２２０の短手方向の長さに応じて、４本以上の自然薯５を並べて栽培してもよい。
（１１）上記第４実施形態の自然薯栽培システム２０２では、２個の自然薯栽培器２００が上下二段となるように固定されていたが、３個以上の自然薯栽培器２００が多段で固定される構造の固定部を利用してもよい。
【００７０】
（１２）上記第４実施形態の自然薯栽培器２００では、容器２１０に育成部２３０が取り付けられた構造であったが、図８に示す自然薯栽培器３００のように、容器２１０と育成部２３０が組合されている境界部となる開口部２２０に仕切材３２０が備えられていてもよい。ここで、仕切材３２０は、水を透過する樹脂で形成された薄膜状の部材である。また、仕切材３２０において、自然薯５の新生芋８が育成部２３０で成長するような貫通孔である３つの第１孔部３２５が形成されている。
【００７１】
このような自然薯栽培器３００で自然薯５を栽培すると、仕切材３２０を備えているため、容器２１０の上方から供給される水が育成部２３０に流れ込むが、容器２１０の第１土壌１２が育成部２３０の第２土壌３２に混ざり込むことを防ぐことができる。
【００７２】
なお、仕切材３２０は、上述の素材や構成に限定されるものではなく、水を透過するものの第１土壌１２が第２土壌３２に混ざり込むことを防ぐことができるものであれば、どのような素材であってもよい。また、仕切材は、容器２１０から育成部２３０へ水が入り込むような構造のものであってもよい。例えば、樹脂製の板状の仕切板であって、水が通過するように、複数の孔が形成されているものや、容器２１０および育成部２３０と仕切板との間に隙間が形成される大きさのものであってもよい。
【００７３】
また、仕切材３２０には、３つの第１孔部３２５が形成されていたが、４つ以上の第１孔部３２５が形成されていてもよい。さらに、上記実施形態の自然薯栽培器１，１００においても、第１土壌１２と第２土壌３２とが混ざり合わないように、適切な位置に、仕切材を設けてもよい。
【００７４】
上記実施形態等において自然薯栽培器について記載したが、本発明は自然薯だけでなく、栽培方法が同じであれば、長芋などの山芋類の栽培にも適用可能であるため、自然薯には、長芋など栽培方法が同じ山芋類も含まれることを意味している。
【符号の説明】
【００７５】
１，１００，２００，３００…  自然薯栽培器  ２，２０２…  自然薯栽培システム  ５…  自然薯  ６…  種芋  ７…  吸収根  ８…  新生芋  ９…  芽  １０，１１０，２１０…  容器  １２…  第１土壌  ２０，１２０，２２０…  開口部  ３０，２３０…  育成部  ３２…  第２土壌  ４０…  誘導部  ５０，２５０…  固定部  ５２，２５２…  基部  ５２ａ，２５２ａ…  車輪  ５４，２５４…  座部  ５６，２５６…  支柱  ３２０…仕切材  ３２５…第１孔部。
【図１】
2017209106.tif 000003
【図２】
2017209106.tif 000004
【図３】
2017209106.tif 000005
【図４】
2017209106.tif 000006
【図５】
2017209106.tif 000007
【図６】
2017209106.tif 000008
【図７】
2017209106.tif 000009
【図８】
2017209106.tif 000010